(57)【要約】【課題】  本発明は、メッキ槽、洗浄槽などのディップ槽からの液漏れ量を最小限にし、ワークをガイドするローラによるワークに傷がつくのを防止することのできるガイドローラ装置を提供する。【解決手段】  本発明は、メッキ槽、洗浄槽のようなディップ槽１に、ワーク送入スリット部２と、ワーク送出スリット部３を形成すると共に、ワーク送入スリット部２及びワーク送出スリット部３の外側に一対のワークガイドローラ＄、５，６，７をそれぞれ設けたことを特徴とするメッキ装置において、前記一対のワークガイドローラ４，５，６，７の回転速度を、前記ワーク１０の搬送速度Ｔｓに対応させること、且つ、前記一対のワークガイドローラ４，５，６，７と前記ワーク１０との間に所定のクリアランス４０を設けたことにある。【選択図】    図３
2019143174.tif 000002
【特許請求の範囲】
【請求項１】
メッキ槽、洗浄槽のようなディップ槽に、ワーク送入スリット部と、ワーク送出スリット部を形成すると共に、ワーク送入スリット部及びワーク送出スリット部の外側に一対のワークガイドローラをそれぞれ設けたことを特徴とするメッキ装置において、
前記一対のワークガイドローラの回転速度を、前記ワークの搬送速度に対応させること、且つ、
前記一対のワークガイドローラと前記ワークとの間に所定のクリアランスを設けることを特徴とするガイドローラ装置。
【請求項２】
前記ワークガイドローラの回転速度は、ワークガイドローラの外周の周速が、前記ワークの搬送速度を一致するように設定されることを特徴とする請求項１記載のガイドローラ装置。
【発明の詳細な説明】
【技術分野】
【０００１】
本発明は、メッキ槽内を垂直に保持されて移動する長尺ワークのメッキを行う垂直搬送型メッキ装置において、メッキ槽内を移動する長尺ワークを垂直に保持移動させるためのガイドローラ装置に関する。
【背景技術】
【０００２】
特許文献１（特開２００３−１０５５９７号公報）は、高濃度のビスマスを含有するメッキ液のビスマスを有効に使用して安定したビスマス濃度の錫−ビスマス合金メッキを施すことができ、さらに、槍状析出物の生成を抑えることを目的としたメッキ装置を開示する。この特許文献１で開示されるメッキ槽では、メッキ槽の長手方向両側の壁には、それぞれスリット部が設けられており、被メッキ体が、このメッキ槽の一方の壁に設けられたスリット部からメッキ槽内の幅方向略中央を長手方向にわたって搬送され、他方の壁に設けられたスリット部を介してメッキ槽の外側に搬送されるようになっている。また、引用文献１に開示される錫−ビスマス合金メッキ装置では、陰極（カソード）は、被メッキ体上に設けられた配線パターンなどの被メッキ部であり、この被メッキ部は、メッキ槽の外側に設けられたロール状のコンタクトロールを介して電源にそれぞれ接続されているものである。
【０００３】
特許文献２（特開２００７−１１９８３２号公報）は、内槽からの処理液の流出があっても、フープ材の送行速度を速くすることができ、メッキ処理槽の外部へ処理液の持ち出しが生じないメッキ処理槽及びメッキ処理装置を提供するものである。このメッキ処理槽は、所定のメッキ液が内部に満たされており、平面形状が方形であって、側壁にフープ材を送入する第一スリット部とフープ材を送出する第二スリット部を設けた内槽と、内部に前記内槽を備えており、平面形状が方形であって、側壁にフープ材を送入する第一スリット部とフープ材を送出する第二スリット部とを設けた外槽からなり、前記外槽の第二スリット部は、前記内槽の第二スリット部から前記フープ材を送出する方法の位置以外の位置に設けられており、前記外槽の内部であって前記内槽の第二スリット部近傍位置には、フープ材の送行方向を変更する少なくとも１つの走行方向転換用ローラを備えたことを特徴とするものである。また、内槽の第１スリット部と第二スリット部には、それぞれローラがガイドとして備えられていることが開示される。
【０００４】
特許文献３（特開２０１７−１６０５０３号公報）は、メッキ液中において被メッキ材を搬送しながら行う電解メッキにおいて、特に被メッキ材の電気抵抗が大きい場合においても、好適な電解メッキを施すことができるメッキ装置及びメッキ方法並びに導電性パターンの製造方法を提供するものである。特許文献３に開示されるメッキ槽内は、メッキ液によって満たされており、このメッキ槽の一方の側面部には、長尺シートを導入するための導入孔が設けられており、さらにこの導入孔は、互いに平行に付き合わされた一対の入口シールロールにより閉蓋されており、メッキ槽内のメッキ液が漏出しないようになっているものである。また、長尺シートは、回転可能に支持された入口シールロールに挟まれて、これら入口シールロールを回転させながらメッキ槽内に導入されるものである。
【先行技術文献】
【特許文献】
【０００５】
【特許文献１】特開２００３−１０５５９７号公報
【特許文献２】特開２００７−１１９８３２号公報
【特許文献３】特開２０１７−１６０５０３号公報
【発明の概要】
【発明が解決しようとする課題】
【０００６】
従来、メッキ槽内において長尺ワークを移動させるために、メッキ槽の壁には、長尺ワークを送入するためのスリットが形成され、このスリットからメッキ液が漏洩するものであるが、この漏洩量に対応してスリットと長尺ワークとの間のクリアランスを設定することが知られている。また、特許文献２及び３に開示されているように、液のこぼれを軽減化するためのローラが、ワークの搬送方向入口側及び出口側に設けられるが、入口側は、搬送方向と漏出時の液の流れによる力とが逆行することになるため、ローラの回転速度とワックの搬送速度に差が生じるため、ワークとローラとの摩擦によって、ワークが柔らかい場合にはワークの表面に傷が付くという不具合が生じる。
【０００７】
また、上述した不具合を解消するために、ローラ間の隙間を広くした場合には、メッキ液の漏洩量が多くなり、メッキ液を追加もしくは循環させる供給ポンプに負担を与えるという不具合が生じ、また、ローラを弾性材料によって形成し、クリアランスを０にした場合には、漏洩量は減少するものの、ローラにかかる力がワークの移動方向とメッキ液の漏洩方向とが逆方向となるため、ローラの回転が円滑でなくなることから、ワークの継ぎ目に引っかかるという不具合が生じ、またワークを２本のローラが挟み込んでしまうことから、ワークを蛇行させる要因となり、これによって搬送高さが変化するという不具合が生じる。
【０００８】
さらに最近では、ワーク自体がより薄く且つ柔らかくデリケートになっており、さらにワーク巾も徐々に大きくなってきているため、メッキ液の漏洩量が増大したり、ローラの回転不具合が多発したりという不具合が生じている。さらにワークをクリップ搬送する場合には、ワーク下側がついてくることができず折れシワが生じるとする不具合が生じることがある。
【０００９】
このため、本発明は、メッキ槽、洗浄槽などのディップ槽からの液漏れ量を最小限にし、ワークをガイドするローラによるワークに傷がつくのを防止することのできるガイドローラ装置を提供することにある。
【課題を解決するための手段】
【００１０】
本発明は、メッキ槽、洗浄槽のようなディップ槽に、ワーク送入スリット部と、ワーク送出スリット部を形成すると共に、ワーク送入スリット部及びワーク送出スリット部の外側に一対のワークガイドローラをそれぞれ設けたことを特徴とするメッキ装置において、前記一対のワークガイドローラの回転速度を、前記ワークの搬送速度に対応させること、且つ、前記一対のワークガイドローラと前記ワークとの間に所定のクリアランスを設けることにある。尚、前記ワークガイドローラは、例えばモータによって回転されると共に、前記モータはコントロールユニットによってワークの搬送速度やディップ槽からの液の漏洩量、ワークガイドローラとワークとの間のスリップ量等のパラメータに基づいて制御されることが望ましい。
【００１１】
また、前記ワークガイドローラの回転速度は、ワークガイドローラの外周の周速が、前記ワークの搬送速度を一致するように設定されることが好ましいものである。
【００１２】
このように、ワークは、ディップ槽に形成されたワーク送入スリット部を通過してディップ槽内に送入され、ディップ槽内で処理された後、ワーク送出スリット部を通過したディップ槽外に送出されて次の工程に移動するが、ワーク送入スリット部の上流側に配置された一対のワークガイドローラは、ワークの搬送速度に対応した回転速度で回転し、ワークガイドローラの外周の周速がワークの搬送速度を一致するようにしたことから、ワークガイドローラとワークとの間に流入する漏洩液による逆方向への力を強制的に相殺することができると共に、これによって例えワークがローラに接触した場合でも、両者の移動速度が一致するために、ワークへの傷の発生を防止できるものである。さらに、これによって、ワーク送入スリット部及びワーク送出スリット部からの液漏れ量も抑制できるものである。
【００１３】
また、ワーク送出スリット部の下流側に配された一対のワークガイドローラは、ワークの搬送速度に対応した回転速度で回転し、ワークガイドローラの外周の周速がワークの搬送速度を一致するようにしたことから、ディップ槽から流出する液体によってワークに搬送方向への力がかかったとしても、ワークガイドローラによってワークの搬送速度が一定に保たれるもので、このワーク送出スリット部の下流側に配された一対のワークガイドローラにおいても、ワークがローラに接触した場合でも、両者の移動速度が一致するために、ワークへ傷がつくことを防止できるものである。
【発明の効果】
【００１４】
本発明によれば、ワークガイドローラの外周の周速を、ワークの搬送速度を一致させるように、ワークガイドローラを強制的に回転させるようにしたことから、ディップ槽から漏洩する液体によってワークにかかる力による影響を抑制できると共に、これによって生じるワークへの傷の発生を防止できるものである。さらに、これによって、ワークを送入／送出するためのスリット部からの液漏れ量も抑制できるものである。
【図面の簡単な説明】
【００１５】
【図１】本発明に係るガイドローラ装置を配したメッキ装置の一部を示した説明断面図であり、（ａ）はそれぞれのワークガイドローラをそれぞれに対応する電動モータで駆動する例を示し、（ｂ）は対応するワークガイドローラを連結して１つの電動モータで駆動する例を示したものである。
【図２】本発明に係るガイドローラ装置を配したメッキ装置の一部を示した説明側面図である。
【図３】本発明に係るガイドローラ装置を配したメッキ装置の一部を示した説明平面図である。
【図４】本発明に係るガイドローラ装置の上流側ワークガイドローラ部を示した説明図である。
【図５】本発明に係るガイドローラ装置の下流側ワークガイドローラ部を示した説明図である。
【発明を実施するための形態】
【００１６】
以下、本発明の実施例について、図面により説明する。
【実施例】
【００１７】
本発明に係るメッキ装置は、例えば図１乃至図３にしめすようなメッキ槽、洗浄槽のようなディップ槽１に、ワーク送入スリット部２と、ワーク送出スリット部３が形成されており、ワーク送入スリット部２の上流側には上流側ワークガイドローラ４，５が、ワーク送出スリット部３の下流側には下流側ワークガイドローラ６，７が設けられる。これによって、図示しない搬送機構によって垂直に保持され所定の搬送速度Ｔｓで搬送されるワーク１０は、ワーク送入スリット部２からディップ槽１内に送入され、メッキもしくは洗浄などの処理をした後、ワーク送出スリット部３から次なる工程へ搬送される。
【００１８】
また、図１（ａ）に示されるメッキ装置では、前記ワークガイドローラ４，５，６，７は、それぞれ電動モータ８と伝達機構９に介して連結され駆動回転される。また、図１（ｂ）に示されるメッキ装置では、前記ワークガイドローラ４，６は、片側に配置された１つの電動モータ８と伝達機構９によって回転し、ワークガイドローラ４，６に対応するワークガイドローラ５，７は、連結歯車９ａによって連動して駆動回転される。さらに、電動モータ８は図示しないコントロールユニットによって制御される。このコントロールユニットは、前記ワーク１０の搬送速度Ｔｓに基づいて、前記ワークガイドローラ４，５，６，７の回転速度Ｒｓを設定するもので、特にワークガイドローラ４，５，６，７の外周の周速を前記ワーク１０の搬送速度Ｔｓと同一とするように設定するものである。尚、図１（ａ）で示すように、ワークガイドローラ４，５，６，７をそれぞれの電動モータ８で駆動する場合には、ワークガイドローラの上流側及び下流側のバランス、左右のワークガイドローラのバランスを独立して制御調整することが可能となる。また、図１（ｂ）で示すように、左右のワークガイドローラを連結歯車９ａによって連動させる場合には、ワークガイドローラの上流側及び下流側のバランスを独立して調整できると共に、電動モータ８の数を減少させることができるものである。
【００１９】
尚、前記ワークガイドローラ４，５，６，７、前記伝達機構９、前記電動モータ８及びコントロールユニットによってガイドローラ装置が構成され、特に上流側ガイドローラ４，５、伝達機構９、前記電動モータ８及びコントロールユニットによって上流側ガイドローラ装置２０が構成され、下流側ガイドローラ６，７、伝達機構９、前記電動モータ８及びコントロールユニットによって下流側ガイドローラ装置３０が構成される。また、上流側ワークガイドローラ４，５の間の間隔Ｄ及び下流側ワークガイドローラ６，７の間の間隔Ｄは、ワーク１０の厚さＷよりも若干大きく形成される（Ｄ＞Ｗ）。前記ワークガイドローラ４，５もしくはワークガイドローラ６，７とワーク１０との間のクリアランス４０は、この実施例では０．４〜１．０ｍｍの範囲内であることが好ましく、特に０．５ｍｍであることが好ましい。
【００２０】
以上の構成により、本発明によれば、前記上流側ガイドローラ装置２０において、図４に示すように、ワーク送入スリット部２を通過するワーク１０には、ディップ槽１内のメッキ液もしくは洗浄水等の液体が漏洩するときに生じる付勢力が搬送方向と逆方向にかかり、さらに上流側ワークガイドローラ４，５とワーク１０との間のクリアランス４０にも同様に漏洩した液体によってワーク１０の搬送方向とは逆方向に力が与えられる。しかしながら、上流側ワークガイドローラ４，５のワーク１０側の周面が前記搬送速度Ｔｓと一致する周速で搬送方向に移動するように所定の回転速度で回転することから、ワーク１０は漏洩した液体による付勢力の存在にもかかわらず所望の搬送速度Ｔｓを維持することができるものである。
【００２１】
また、ワーク１０の搬送速度Ｔｓと上流側ワークガイドローラ４，５の外周の周速を一致させたことによって、ワーク１０が例えば振動によって上流側ワークガイドローラ４，５のいずれかもしくは両方に接触した場合にも、ワーク１０への傷の発生を防止できるという効果を有すると共に、ワーク送入スリット部２からの液漏れ量を抑制できるものである。
【００２２】
さらに、下流側ガイドローラ装置３０において、図５に示すように、ワーク送出スリット部３を通過するワーク１０には、ディップ槽１内のメッキ液もしくは洗浄水等の液体が漏洩するときに生じる付勢力が搬送方向にかかり、さらに下流側ワークガイドローラ６，７とワーク１０との間のクリアランス４０にも同様に漏洩した液体によってワーク１０の搬送方向に力が与えられる。このように、下流側ガイドローラ装置３０では、ワーク１０には漏洩する液体によって搬送速度Ｔｓを上昇させる方向に力が加わるが、下流側ワークガイドローラ６，７が、ワーク１０の搬送速度Ｔｓに対応した所定の回転速度で回転するため、ワーク送出スリット部３から漏洩する液体を、ワーク送出スリット部３と下流側ワークガイドローラ６，７の間の空間に閉じ込めるため、ワーク１０の搬送速度Ｔｓの上昇を抑えられるものである。
【００２３】
また、ワーク１０の搬送速度Ｔｓと下流側ワークガイドローラ６，７の外周の周速を一致させたことによって、ワーク１０が例えば振動によって下流側ワークガイドローラ６，７のいずれかもしくは両方に接触した場合にも、ワーク１０への傷の発生を防止できるという効果を有すると共に、ワーク送出スリット部３からの液漏れ量も抑制できるものである。
【００２４】
尚、上述した実施例では、ワークガイドローラ４，５，６，７のそれぞれに電動モータ８及び伝達機構９からなる駆動機構を設けたものであるが、対応するワークガイドローラの一方に駆動機構を設け、他方をフリーにして対応することも可能である。また、上流側ガイドローラ装置２０及び下流側ガイドローラ装置３０の一方に起動機構を設け、他方をフリーにすることも可能である。
【符号の説明】
【００２５】
１  ディップ槽
２  ワーク送入スリット部
３  ワーク送出スリット部
４，５  上流側ワークガイドローラ
６，７  下流側ワークガイドローラ
８  電動モータ
９  伝達機構
１０  ワーク
２０  上流側ガイドローラ装置
３０  下流側ガイドローラ装置
４０  クリアランス
５０  空間
【図１】
2019143174.tif 000003
【図２】
2019143174.tif 000004
【図３】
2019143174.tif 000005
【図４】
2019143174.tif 000006
【図５】
2019143174.tif 000007